(57)【要約】【課題】映像素材の画角に応じて適切に変換することを可能とする。【解決手段】ＨＤ映像素材が入力されると、アンシラリインサータ１１は、画角情報を当該素材のアンシラリ領域に挿入する。画角情報が挿入されたＨＤ映像素材は、ＨＤエンコーダ２１により圧縮されてデータメモリ４０に収録される。また、画角情報毎の変換モードを画角変換テーブル４１に登録しておく。ビデオサーバ１００は、ＨＤ映像素材を指定してＳＤ放送用として送出する指示を受けると、該当するＨＤ映像素材をデータメモリ４０から読み出し、アンシラリリーダ６１により読み出した素材のアンシラリ領域から画角情報を抽出する。画角変換部３０は、抽出された画角情報に基づいて画角変換テーブル４１から対応する変換モードを選択してダウンコンバータ７１に通知し、当該ＨＤ映像素材を選択された変換モードでＳＤ映像素材に変換させる。【選択図】      図１
2008160552.tif 000002
【特許請求の範囲】
【請求項１】
ワイド画面の全域を有効とする第１画角、標準画面の両サイドに無効領域を付加してワイド画面とする第２画角のいずれかである、複数の高解像度（ＨＤ：High Definition）映像素材を蓄積するＨＤ蓄積手段と、
前記複数のＨＤ映像素材の蓄積時にそれぞれの画角情報を管理する画角管理手段と、
前記第１画角のＨＤ映像素材を、前記ワイド画面全域を標準画面の中央に表示するレターボックス形式の標準解像度（ＳＤ：Standard Definition）映像素材に変換する第１変換モードと、前記第２画角のＨＤ映像素材を、ワイド画面の両サイドをカットして標準画面サイズとするサイドカット形式のＳＤ映像素材に変換する第２変換モードとを登録するＨＤ／ＳＤ変換モード登録手段と、
前記ＨＤ蓄積手段に蓄積されたＨＤ映像素材を指定してＳＤ放送用として送出する指示に応じて、前記ＨＤ蓄積手段から該当するＨＤ映像素材を読み出すとともに、前記画角管理手段によって管理される読み出し素材に対応する画角を判別し、前記ＨＤ／ＳＤ変換モード登録手段から該当する変換モードを選択して読み出されたＨＤ映像素材をＳＤ映像素材に変換するＨＤ／ＳＤ変換手段と、
前記ＨＤ／ＳＤ変換手段により変換されたＳＤ映像素材を送出する送出手段と
を具備することを特徴とするビデオサーバ。
【請求項２】
前記画角管理手段は、前記ＨＤ映像素材を前記ＨＤ蓄積手段に蓄積する際に、前記ＨＤ映像素材に付加されるアンシラリ領域に前記画角の情報を挿入し、前記ＨＤ映像素材の読み出し時にその素材のアンシラリ領域から前記画角の情報を抽出することを特徴とする請求項１記載のビデオサーバ。
【請求項３】
ワイド画面の全域を有効とする第１画角、標準画面の両サイドに無効領域を付加してワイド画面とする第２画角のいずれかである、複数のＨＤ映像素材を蓄積し、
前記複数のＨＤ映像素材の蓄積時にそれぞれの画角情報を管理し、
前記第１画角のＨＤ映像素材を、前記ワイド画面全域を標準画面の中央に表示するレターボックス形式のＳＤ映像素材に変換する第１変換モードと、前記第２画角のＨＤ映像素材を、ワイド画面の両サイドをカットして標準画面サイズとするサイドカット形式のＳＤ映像素材に変換する第２変換モードとを登録し、
前記蓄積されたＨＤ映像素材を指定してＳＤ放送用として送出する指示に応じて、前記蓄積されたＨＤ映像素材から該当するＨＤ映像素材を読み出すとともに、前記管理される読み出し素材に対応する画角を判別し、前記登録された変換モードから該当する変換モードを選択して読み出されたＨＤ映像素材をＳＤ映像素材に変換し、
前記変換されたＳＤ映像素材を送出することを特徴とするビデオサーバの画角変換方法。
【請求項４】
前記ＨＤ映像素材を蓄積する際に、前記ＨＤ映像素材に付加されるアンシラリ領域に前記画角の情報を挿入し、前記ＨＤ映像素材の読み出し時にその素材のアンシラリ領域から前記画角の情報を抽出することを特徴とする請求項３記載のビデオサーバの画角変換方法。
【発明の詳細な説明】
【技術分野】
【０００１】
この発明は、地上波デジタル放送システムなどに適用され、映像素材を指定された画角に変換して送出するビデオサーバとその画角変換方法に関する。
【背景技術】
【０００２】
デジタルテレビ放送には、ハイビジョン用放送信号（ＨＤＴＶ：High Definition Television）と、標準解像度放送用信号（ＳＤＴＶ：Standard Definition Television）がある。ＨＤＴＶの画面サイズは１６：９（ワイド画面サイズ）、ＳＤＴＶの画面サイズは４：３（標準画面サイズ）と定義されている。従来のビデオサーバにおいて、例えば、ＨＤＴＶの映像素材をＳＤＴＶに画面サイズを変換して送出した場合に、映像が欠如したり不体裁になったりするという問題があった。
【０００３】
また、画角情報とは、デジタルテレビ放送において放送信号に付される識別制御情報の１つである。主にハイビジョン放送用信号で用いられ、４：３画面サイズへの表示を識別できる付加情報である。なお、この種の関連する技術が下記特許文献１〜３に開示されている。
【特許文献１】特開２００４−２８９３５９公報
【特許文献２】特開２００５−６４６２１公報
【特許文献３】特開２００５−１０９５４９公報
【発明の開示】
【発明が解決しようとする課題】
【０００４】
上述したように、従来のビデオサーバにおいて、例えば、ＨＤ映像素材をＳＤ放送用として送出する場合に、元のＨＤ映像素材の画角を無視して行うと、映像が欠如したり不体裁になったりするという問題があった。
【０００５】
この発明は上記事情に着目してなされたもので、その目的とするところは、送出時に映像素材の画角を適切に変換することができるビデオサーバとその画角変換方法を提供することにある。
【課題を解決するための手段】
【０００６】
上記目的を達成するためにこの発明に係るビデオサーバは、ワイド画面の全域を有効とする第１画角、標準画面の両サイドに無効領域を付加してワイド画面とする第２画角のいずれかである、複数の高解像度（ＨＤ：High Definition）映像素材を蓄積するＨＤ蓄積手段と、前記複数のＨＤ映像素材の蓄積時にそれぞれの画角情報を管理する画角管理手段と、前記第１画角のＨＤ映像素材を、前記ワイド画面全域を標準画面の中央に表示するレターボックス形式の標準解像度（ＳＤ：Standard Definition）映像素材に変換する第１変換モードと、前記第２画角のＨＤ映像素材を、ワイド画面の両サイドをカットして標準画面サイズとするサイドカット形式のＳＤ映像素材に変換する第２変換モードとを登録するＨＤ／ＳＤ変換モード登録手段と、前記ＨＤ蓄積手段に蓄積されたＨＤ映像素材を指定してＳＤ放送用として送出する指示に応じて、前記ＨＤ蓄積手段から該当するＨＤ映像素材を読み出すとともに、前記画角管理手段によって管理される読み出し素材に対応する画角を判別し、前記ＨＤ／ＳＤ変換モード登録手段から該当する変換モードを選択して読み出されたＨＤ映像素材をＳＤ映像素材に変換するＨＤ／ＳＤ変換手段と、前記ＨＤ／ＳＤ変換手段により変換されたＳＤ映像素材を送出する送出手段とを具備することを特徴とする。
【０００７】
また、この発明に係るビデオサーバの画角変換方法は、ワイド画面の全域を有効とする第１画角、標準画面の両サイドに無効領域を付加してワイド画面とする第２画角のいずれかである、複数のＨＤ映像素材を蓄積し、前記複数のＨＤ映像素材の蓄積時にそれぞれの画角情報を管理し、前記第１画角のＨＤ映像素材を、前記ワイド画面全域を標準画面の中央に表示するレターボックス形式のＳＤ映像素材に変換する第１変換モードと、前記第２画角のＨＤ映像素材を、ワイド画面の両サイドをカットして標準画面サイズとするサイドカット形式のＳＤ映像素材に変換する第２変換モードとを登録し、前記蓄積されたＨＤ映像素材を指定してＳＤ放送用として送出する指示に応じて、前記蓄積されたＨＤ映像素材から該当するＨＤ映像素材を読み出すとともに、前記管理される読み出し素材に対応する画角を判別し、前記登録された変換モードから該当する変換モードを選択して読み出されたＨＤ映像素材をＳＤ映像素材に変換し、前記変換されたＳＤ映像素材を送出することを特徴とする。
【０００８】
上記構成によるビデオサーバとその画角変換方法では、蓄積されるＨＤ映像素材の画角情報を管理し、ＨＤ映像素材をＳＤ映像素材に変換する変換モードをＨＤ映像素材の画角情報毎に登録しておく。そして、ＨＤ映像素材をＳＤ放送用として送出する際に、管理された画角情報に基づいて変換モードを選択しＳＤ映像素材に変換する。このように構成することで、ＨＤ映像素材をＳＤ放送用として送出する場合に、映像が欠如したり不体裁になったりすることなく、適切な画角で放送することが可能となる。
【発明の効果】
【０００９】
したがってこの発明によれば、送出時に映像素材の画角を適切に変換することができるビデオサーバとその画角変換方法を提供することができる。
【発明を実施するための最良の形態】
【００１０】
以下、図面を参照しながら本発明の実施の形態を詳細に説明する。  
図１は、この発明に係るビデオサーバの一実施形態を示す機能ブロック図である。ビデオサーバ１００は、アンシラリインサータ１１，１２と、ＨＤエンコーダ２１と、ＳＤエンコーダ２２と、画角変換部３０と、データメモリ４０と、ＨＤデコーダ５１と、ＳＤデコーダ５２と、アンシラリリーダ６１，６２、ダウンコンバータ７１と、アップコンバータ７２とを備える。
【００１１】
ビデオサーバ１００には、ＨＤ映像素材とＳＤ映像素材とが混在してデータメモリ４０に素材データとして収録される。ビデオサーバ１００に収録対象のＨＤ映像素材が入力されると、アンシラリインサータ１１は、ファイリングデータをもとに当該素材の画角情報をこのＨＤ映像素材のアンシラリ領域に挿入する。アンシラリ領域とは、放送局間制御信号や字幕パケット等の映像素材に関する補助データを任意に記述可能な領域である。画角情報が挿入されたＨＤ映像素材は、ＨＤエンコーダ２１により所定のフォーマットに圧縮されたのち、データメモリ４０に収録される。また同様に、ビデオサーバ１００に収録対象のＳＤ映像素材が入力された場合には、アンシラリインサータ１２において画角情報がアンシラリ領域に挿入されたのち、ＳＤエンコーダ２２により所定のフォーマットに圧縮されてデータメモリ４０に収録される。
【００１２】
データメモリ４０には画角変換テーブル４１が予め記憶されている。画角変換テーブル４１は、収録されている映像素材それぞれの画角と、送出時の画面サイズに応じた画角とを対応させて変換モードとして登録したものである。図２に１６：９素材の画角変換の一例を示す。例えば、１６：９の映像素材の場合は、４：３サイドカットに変換すると左右の映像が欠如してしまうため、４：３レターボックスに変換する。また、１６：９サイドパネルの映像素材の場合は、４：３レターボックスに変換すると不体裁になるため４：３サイドカットに変換するように、画角変換テーブル４１に変換モードとして登録する。
【００１３】
一方、ビデオサーバ１００にＨＤ映像素材を指定した送出要求があった場合には、データメモリ４０から該当するＨＤ映像素材を読み出し、ＨＤデコーダ５１により伸長処理を行う。アンシラリリーダ６１は、ＨＤデコーダ５１により伸長されたＨＤ映像素材からアンシラリ領域に挿入された画角情報を読み取り、この素材の画角を判別する。アンシラリリーダ６１は、ＨＤ放送用として出力する場合には、伸長された映像素材をそのまま出力する。ＳＤ放送用として出力する場合には、画角変換部３０により画角変換テーブル４１に基づいて画角の変換モードを選択され、ダウンコンバータ７１は、上記伸長されたＨＤ映像素材を選択された画角の変換モードでダウンコンバートしてＳＤ映像素材を出力する。
【００１４】
また、ビデオサーバ１００にＳＤ映像素材を指定した送出要求があった場合には、データメモリ４０から該当するＳＤ映像素材を読み出し、ＳＤデコーダ５２により伸長処理を行う。アンシラリリーダ６２は、アンシラリ領域に挿入された画角を読み取って画角を判別し、ＳＤ出力の場合にはそのままＳＤ出力する。ＨＤ放送用として出力する場合には、画角変換部３０により画角変換テーブル４１に基づいて画角の変換モードを選択され、アップコンバータ７２は、上記伸長されたＳＤ映像素材を選択された画角の変換モードでアップコンバートしてＨＤ映像素材を出力する。
【００１５】
次に、このように構成されるビデオサーバ１００の動作について説明する。図３は、図１に示すビデオサーバ１００における映像素材の送出動作の手順とその内容を示すフローチャートである。  
ビデオサーバ１００は、１６：９のＨＤ映像素材をＳＤ放送用として送出する素材再生指示を受け付ける（ステップＳ３１）。ビデオサーバ１００は、この指示に該当する映像素材をデータメモリ４０から読み出して、ＨＤデコーダ５１により伸長する（ステップＳ３２）。アンシラリリーダ６１は、伸長された映像素材のアンシラリ領域から画角情報を読み出し（ステップＳ３３）、読み出した画角情報をもとに画角変換が必要か否かを判定する（ステップＳ３４）。アンシラリリーダ６１は、この判定において画角変換が不要と判定された場合には、ステップＳ３７に移行して伸長されたＨＤ映像素材をＨＤ放送用としてそのまま出力する。
【００１６】
一方、ステップＳ３４の判定において画角変換が必要と判定された場合には、アンシラリリーダ６１は、読み出した画角情報を画角変換部３０に通知する。画角変換部３０は、画角変換テーブル４１を参照して、通知された画角情報をもとに変換モードを選択し（ステップＳ３５）、選択された変換モードをダウンコンバータ７１に通知する。ダウンコンバータ７１は、選択された変換モードでＳＤ映像素材に画角変換を行い（ステップＳ３６）、変換されたＳＤ映像素材をＳＤ放送用の再生映像として出力する（ステップＳ３７）。
【００１７】
以上述べたように上記実施形態では、映像素材の画角情報を当該素材のアンシラリ領域に挿入して収録する。また、映像素材の画角情報毎の変換モードを画角変換テーブル４１に登録しておく。そして、映像素材を送出する際に、この映像素材のアンシラリ領域から画角情報を抽出し、抽出された画角情報に基づいて画角変換テーブル４１から対応する変換モードを選択し当該映像素材の画角を変換するようにしている。
【００１８】
したがって上記実施形態によれば、例えば、ＨＤ映像素材をＳＤ放送用として送出する場合に、映像が欠如したり不体裁になったりすることなく、適切な画角で放送することが可能となる。
【００１９】
なお、この発明は上記実施形態に限定されるものではない。例えば、上記実施形態では、映像素材の画角情報をアンシラリインサータ１１，１２により各素材のアンシラリ領域に挿入するように構成したが、別途データベースを構築して映像素材と各情報とを対応付けて記憶し管理するように構成してもよい。その他にも、ビデオサーバ１００の構成及び動作についてもこの発明の要旨を逸脱しない範囲で種々に変形して実施できる。
【００２０】
要するに、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２１】
【図１】この発明に係るビデオサーバの一実施形態を示す機能ブロック図。
【図２】１６：９素材の画角変換の一例を示す図。
【図３】図１に示すビデオサーバにおける映像素材送出動作の手順とその内容を示すフローチャート。
【符号の説明】
【００２２】
１００…ビデオサーバ、１１、１２…アンシラリインサータ、２１…ＨＤエンコーダ、２２…ＳＤエンコーダ、３０…画角変換部、４０…データメモリ、４１…画角変換テーブル、５１…ＨＤデコーダ、５２…ＳＤデコーダ、６１、６２…アンシラリリーダ、７１…ダウンコンバータ、７２…アップコンバータ。
【図１】
2008160552.tif 000003
【図２】
2008160552.tif 000004
【図３】
2008160552.tif 000005